(57)【要約】【課題】振り出し口の開閉操作が容易である点を生かしながら振り出し容器に動きのある装飾要素を加えて、面白味のある振り出し容器を得る。【解決手段】中栓４の移動に連動して容器高さ方向に回動する板状部材２０を設けた。【選択図】      図１
2005014985.tif 000002
【特許請求の範囲】
【請求項１】
振り出し容器本体の上面開口に取り付けされる振り出しキャップであって、押し込み口と振り出し口とを備えるキャップ本体と、前記キャップ本体の内部に容器高さ方向に移動可能に配され、上方への付勢に抗した押し込み口からの押し下げ操作時に前記キャップ本体の振り出し口を開放する中栓とを備えた振り出しキャップにおいて、
中栓の移動に連動して容器高さ方向に回動する板状部材を備えていることを特徴とする振り出しキャップ。
【請求項２】
上記キャップ本体の面板に透孔を有し、前記透孔を有するキャップ本体の面板に対して中栓の移動時に容器高さ方向に相対移動する中栓の面板に、上記板状部材が回動可能に設けられ、該板状部材がキャップ本体の透孔を通って外方に表出して、中栓の移動時に相対移動する透孔により板状部材が容器高さ方向に回動する請求項１に記載の振り出しキャップ。
【請求項３】
上記板状部材を嵌め入れして板状部材の回動を規制する板状部材固定手段が、上記透孔に設けられている請求項２に記載の振り出しキャップ。
【発明の詳細な説明】
【０００１】
【発明の属する技術分野】
本発明は粒状のガム、キャンディー、粒チョコなどを収容した振り出し容器に設けて、収容物を振り出すことができるようにした振り出しキャップに関するものである。
【０００２】
【従来の技術】
従来、粒状のガム、キャンディー、チョコレートなどのお菓子を収容する容器としては、収容しているお菓子が通ることのできる比較的小さな開口部分を開け閉めできるようにし、その開口部分を開いて容器全体を振ることで収容しているお菓子を振り出すようにしたものが多く提案されている。また、開口部分を中栓が通常の状態では閉じ、中栓を押し下げることでその開口部分が開くようにしたものも提供されている。
このような振り出し容器は振り出しキャップを有しているものであって、その振り出しキャップは、振り出し容器本体の上面開口に取り付けられるキャップ本体と、このキャップ本体の内部側に配置される中栓とからなり、前記キャップ本体は、押し込み口と振り出し口とを備え、また中栓にあっては、前記キャップ本体の内部で容器高さ方向に移動可能に配され、その前記押し込み口に押し下げ可能に位置していて、押し上げ手段によって、容器高さ方向での上方に向けて付勢状態にして押し込み口にこの中栓が押し下げ可能に位置するようにしていた。
そして中栓は、押し込み口に付勢状態で位置しているときに振り出し口に対応位置して振り出し口を閉じる閉鎖部を一体にして備え、押し込み口での中栓の押し下げにより前記閉鎖部を振り出し口から移動させて振り出し口を開く構成としていた（例えば、特許文献１参照）。
【０００３】
【特許文献１】
実公昭６０−２５４２２号公報（第１頁、第２頁、第１図〜第４図）
【０００４】
【発明が解決しょうとする課題】
ところで、中栓の押し下げ操作により振り出し口が開く構成の上記振り出し容器は振り出し口の開閉操作が容易であり子供向け商品として使用されてきているが、従来から使用されているため、現在においては商品性が乏しくなってきており、遊び心をくすぐるような新たな工夫を付加して、振り出し容器の商品性を高めたいとの要望がある。
そこで本発明は上記事情に鑑み、振り出し口の開閉操作が容易である点を活かしながら振り出し容器に動きのある装飾要素を加えることを課題とし、面白味のある振り出し容器を得ることを目的とするものである。
【０００５】
【課題を解決するための手段】
本発明は上記課題を考慮してなされたもので、振り出し容器本体の上面開口に取り付けされる振り出しキャップであって、押し込み口と振り出し口とを備えるキャップ本体と、前記キャップ本体の内部に容器高さ方向に移動可能に配され、上方への付勢に抗した押し込み口からの押し下げ操作時に前記キャップ本体の振り出し口を開放する中栓とを備えた振り出しキャップにおいて、中栓の移動に連動して容器高さ方向に回動する板状部材を備えていることを特徴とする振り出しキャップを提供して、上記課題を解消するものである。
そして、本発明において、上記キャップ本体の面板に透孔を有し、前記透孔を有するキャップ本体の面板に対して中栓の移動時に容器高さ方向に相対移動する中栓の面板に、上記板状部材が回動可能に設けられ、該板状部材がキャップ本体の透孔を通って外方に表出して、中栓の移動時に相対移動する透孔により板状部材が容器高さ方向に回動する構成とすることが可能である。
また、本発明において、上記板状部材を嵌め入れして板状部材の回動を規制する板状部材固定手段が、上記透孔に設けられているものとすることができる。
【０００６】
【発明の実施の形態】
つぎに本発明を図１から図６に示す実施の形態に基づいて詳細に説明する。
図中１は振り出し容器の振り出しキャップで、縦長にして水平断面での形状を略長方形とした収納空間内に粒ガムやキャンディー、粒チョコレートなどの粒菓子を収容することのできる容器本体の上面開口に、この振り出しキャップ１が着脱可能にして取り付けられるものであり、容器本体の上面開口内に嵌め入れる垂れ壁状の連結部２を下部に備えて容器本体の上面開口に着脱可能にして取り付けられるキャップ本体３と、キャップ本体３の内部に配置された中栓４とからなるものである。
【０００７】
図示されているように上記キャップ本体３自体は容器本体の形状に対応するように縦に偏平にした形状を呈して下面を開放した空洞状のものであり、容器本体の上面開口の長辺部分に対応する前面板５と後面板６とが相対するとともに、容器本体の上面開口の短辺部分に対応する側面板７が、前記前面板５と後面板６との側辺に連続し、さらには、天面板８が大きなＲを呈する丸み部を介して一方の側面板７に連続し、前面板５と後面板６と側面板７とで囲んだ内空間を、前記中栓４が容器高さ方向に移動できる空間としている（図２、３参照）。
また、一方の側面板７の下端にはセルフヒンジを介してキャップ本体３の内部に折り入れされる可撓性を備えた板状の押し上げ手段９が連結されている。なお、合成樹脂材料によりキャップ本体３とこの押し上げ手段９とが一体成形されている。
【０００８】
上記キャップ本体３では、天面板８と一方の側面板５とが連続する丸み部と対向する位置に押し込み口１０が開口しており、この押し込み口１０で表出できるようにして上記中栓４が位置している。また、丸み部が位置する側の側面板７には、中栓４の容器高さ方向の移動によって開閉される振り出し口１１が開口されている。
【０００９】
一方、キャップ本体３の内部で容器高さ方向で移動可能に配置される中栓４は、下面を開放した空洞状のものとされ、前面板１２と後面板１３と側面板１４と天面板１５とからなる。そして、この中栓４がキャップ本体３の内部に配され、上記押し上げ手段９をヒンジの部分から折り込み、ヒンジとは反対側の自由端１６を中栓４の内側から当接させることで、この押し上げ手段９は撓んだ状態で中栓４を容器高さ方向の上方に向けて付勢し、キャップ本体３の天面板８の下面に当接することによって、この中栓４の上部一隅が指掛け部１７として押し込み口１０に表出した状態で位置することとなり、この指掛け部１７を押し上げ手段９の付勢力に抗して押し込むことで中栓４全体が下がるようにしている。
【００１０】
また、キャップ本体３の振り出し口１１が位置する側面板７に対応する中栓４の一方の側面板１４において、中栓４がキャップ本体３の天面板８に当接した上死点にあるときに振り出し口１１に対応する部分が、この振り出し口１１を閉じる閉鎖部１８として形成されているとともに、前記閉鎖部１８の上位に透孔１９が設けられていて、中栓４を押し下げて前記透孔１９と振り出し口１１との位置を合せることで振り出し口１１が開き、容器本体に収容していた収容物を振り出すことができるようにしている。なお、この中栓４を押し下げているときにも上記押し上げ手段９によって上方に付勢されていることから、押し下げる力を解除すれば、中栓４が上昇して振り出し口１１は自動的に閉じられるようになる。
【００１１】
さらに、上記中栓４にあっては、図３と図４に示されているように前面板１２と後面板１３とのそれぞれに翼を象った板状部材２０がヒンジを介して一体に連接され、それぞれが容器高さ方向に回動可能にして設けられている。この板状部材２０は押し下げ操作時、即ち、振り出し口１１を開けたり閉めたしするときに中栓４の移動に連動して容器高さ方向に回動するようにしているものであり、キャップ本体３の側方で羽ばたく翼のような動きが得られるようにしている（図５参照）。
キャップ本体３の側方で翼が羽ばたくように板状部材２０を動作させるためにつぎのように構成されている。中栓４の前面板１２と後面板１３とに対して中栓４の移動時に容器高さ方向に相対移動することになるキャップ本体３の前面板５と後面板６とのそれぞれに透孔２１が設けられていて、この透孔２１に板状部材２０が通って外方、即ち、キャップ本体３の側方に表出し、中栓４の移動時に相対移動する前記透孔２１によって板状部材２０が容器高さ方向に回動するようにしている。
【００１２】
図３に示されているように、キャップ本体３と中栓４との相対する前面板５と前面板１２、及び後面板６と後面板１３は、上記板状部材２０の回動動作がスムーズに行われるようにするために離れており、その隙間２２は、中栓４の移動に際して板状部材２０のヒンジ側の基部２３が透孔２１の高さ位置より上方や下方となって前面板５と前面板１２の間、及び後面板６と後面板１３の間に位置しても、その基部２３が挟み込まれずにスムーズに動くようにした広さに設定されている。
また、図示の実施の形態にあっては、中栓４がキャップ本体３の天面板８などに接して上死点にあるときに板状部材２０の基部２３側が透孔２１の高さ位置より上方にあり、この状態のときに、板状部材２０の透孔２１から外部に表れる部分が下方に向いてキャップ本体３や容器本体に沿う位置となるように曲成されている。そして、このように板状部材２０が曲成されて中栓４が上死点にある時に、板状部材２０がキャップ本体３や容器本体に沿う位置となるため、小鳥が翼を閉じるイメージが表現されるようにしている。
【００１３】
上記板状部材２０の基部２３が、透孔２１の上方や下方の位置で挟み込まれないようにするために、少なくともその透孔２１の上方と下方との位置で前面板５と１２の間、及び後面板６と１３の間に上記隙間２２を形成しているが、前面板５と１２の間においての全域、後面板６と１３の間においての全域に前記隙間２２が形成されていると、中栓４が位置ずれして上記振り出し口１１と中栓４の透孔１９とが適正に揃わない場合が生じ易くなる。
そのため、本実施の形態では、中栓４が位置ずれしないように中栓４の前面板１２と後面板１３とのそれぞれにキャップ本体３の前面板５と後面板６との内面に摺接して隙間２２を確保するリブ２４を突設している。なお、前記リブ２４はキャップ本体３の前面板５と後面板６との内面に突設して中栓４に摺接する構成としてもよい。
【００１４】
上記板状部材２０が通るキャップ本体３の前面板５と後面板６との透孔２１には、その透孔２１の縦縁部分を切り欠いて板状部材２０を着脱可能に嵌め入れできる板状部材固定手段２５が設けられており、上死点に中栓４が位置して下方に向いた板状部材２０を前記板状部材固定手段２５に嵌め入れして、下に向いた状態のまま板状部材２０をこの板状部材固定手段２５で支持し、上死点にある中栓４が押し下げできないようにしているものである。即ち、下に向いて容器本体の側面やキャップ本体の前面板、後面板に沿った状態の板状部材２０を前記板状部材固定手段２５で支持して回動しないように規制し、振り出し容器の流通時や不使用時に不用意に中栓４に押し下げるような外力が加わっても、振り出し口１１が開かないようにしているものである。
【００１５】
板状部材２０の上記板状部材固定手段２５への嵌め込みは、上死点にある中栓４全体を振り出し口１１側とは反対側に引くようにすればよいものであって、中栓４がキャップ本体３の前面板５や後面板６に沿った方向に移動できるようにするため、中栓４の側面板１４とキャップ本体３の側面板７との間に隙間２６が得られる寸法設定としている（図２参照）。
そして、振り出し容器の流通時や不使用時に板状部材２０を上記板状部材固定手段２５で支持しているときに形成される振り出し口１１側での隙間２６と振り出し口１１とを介して、容器本体内が外部に連通し易くなるのを避けるために、中栓４の上記閉鎖部１８が、キャップ本体３の振り出し口１１がある側の側面板８の内面に付勢状態にして、かつ摺接可能に接する板バネ形状に形成されていて、この板バネ形状の閉鎖部１８で、振り出し口１１側に形成される隙間２６への収納物の入り込みを防止している。
上記閉鎖部１８による反作用として中栓４は振り出し口１１側とは反対側に付勢されるようになる。そのため、振り出し口１１を開く場合には中栓４全体を振り出し口１１側に少し押し出すようにして板状部材２０を板状部材固定手段２５から解放し、その後、中栓４を押し下げるようにすればよい。そして、押し下げられていた中栓４が上方に移動して上死点に達し、その中栓４の指掛け部１７から指を離したとき（つまり、中栓４を押し下げる力と振り出し口１１側に押し付ける力とを解除する時点）には、閉鎖部１８での働きにより自動的に板状部材２０が板状部材固定手段２５に支持されるようになる。このように中栓４の押し下げ可能な状態と押し下げ不能な状態とが簡単に切り換えることができるものである。
【００１６】
なお、上記実施の形態において板状部材を翼形状のものとして説明したが、本発明はこれに限定されるものでない。例えば、この板状部材を垂れた耳形状として振り出しキャップ全体で犬の頭部を表現することなども可能である。
【００１７】
【発明の効果】
以上説明した本発明により、振り出し口の開閉操作で板状部材が容器高さ方向に回動動作するため、動きのある振り出しキャップとなり、遊び心のある新規な商品とすることができる。また、板状部材の回動を規制する板状部材固定手段を設けることで中栓を位置決めでき、振り出し口が閉じられたときに板状部材がその板状部材固定手段で規制されるようにすれば、振り出し容器の流通時や不使用時に振り出し口が不用意に開くことを確実に防止できるなど、実用性に優れた効果を奏するものである。
【図面の簡単な説明】
【図１】本発明に係る振り出しキャップの一例を容器本体に取り付けた状態で示す説明図である。
【図２】一例におけるキャップ本体と中栓とを側面板の断面方向で示す説明図である。
【図３】一例におけるキャップ本体と中栓とを正面板の断面方向で示す説明図である。
【図４】キャップ本体と中栓とを分離した状態で示す説明図である。
【図５】中栓を押し下げた状態を示す説明図である。
【図６】中栓を押し下げた状態を断面で示す説明図である。
【符号の説明】
１…振り出しキャップ
３…キャップ本体
４…中栓
１０…押し込み口
１１…振り出し口
１８…閉鎖部
２０…板状部材
２１…透孔
２５…板状部材固定手段
【図１】
2005014985.tif 000003
【図２】
2005014985.tif 000004
【図３】
2005014985.tif 000005
【図４】
2005014985.tif 000006
【図５】
2005014985.tif 000007
【図６】
2005014985.tif 000008